(57)【要約】【課題】バウンス撮影の際のバウンス角を自動的に設定する。【解決手段】バウンス撮影モード行う場合には、撮影者は、反射面に撮影レンズを向けて１回目のレリーズボタンの半押しを行い、被写体に向けて１回目のレリーズボタンの半押しを行う。レリーズボタンの半押しに応答して、オートフォーカス機能によって撮影レンズのピントが合致される。システムコントローラは、１回目のレリーズボタンのときの撮影レンズのピントが合致している状態でのフォーカスレンズの位置から反射面の距離を測定し、２回目のレリーズボタンのときの撮影レンズのピントが合致している状態でのフォーカスレンズの位置から被写体反の距離を測定する。これら各距離から最適なバウンス角が求められ、そのバウンス角にストロボ発光部が回動される。【選択図】図５
2009163179.tif 000002
【特許請求の範囲】
【請求項１】
撮影レンズのピントを合致させるオートフォーカス手段と、バウンス角を変化させる駆動機構を有するストロボ装置とを備え、反射面にストボ光を照射して反射されるバウンス光で被写体を照明するバウンス撮影を行う撮影装置において、
反射面についての第１の操作に応答して、前記オートフォーカス手段を作動させて撮影レンズのピントを合致させる第１の合焦動作と、被写体についての第２の操作に応答して前記オートフォーカス手段を作動させて撮影レンズのピントを合致させる第２の合焦動作とを実行させるフォーカス制御手段と、
第１の合焦動作によってピントが合致しているときの撮影レンズのフォーカスレンズのレンズ位置に基づいて反射面までの第１の距離を取得し、第２の合焦動作によってピントが合致しているときの撮影レンズのフォーカスレンズのレンズ位置に基づいて被写体までの第２の距離を取得する距離取得手段と、
この距離取得手段から得られる第１の距離と第２の距離とからバウンス光で被写体を照明するバウンス角を求めるバウンス角算出手段と、
このバウンス角算出手段で求めたバウンス角となるように前記駆動機構を駆動する駆動制御手段とを備えたことを特徴とする撮影装置。
【請求項２】
前記フォーカス制御手段は、撮影範囲内の異なる３点以上の測距点のそれぞれについて第１の合焦動作を実行させ、
前記距離取得手段は、各測距点までの距離をそれぞれ取得し、各測距点までの距離に基づいて、第１の合焦動作時における反射面に対する撮影光軸の傾きを補正して撮影光軸を反射面に垂直としたときの第１の距離を求めることを特徴とする請求項１記載の撮影装置。
【請求項３】
測定した反射面まで距離を保持する距離記憶手段と、第１の合焦動作を実行させて反射面の測距を指示する測距指示部材とを備え、
前記距離取得手段は、前記測距指示部材の操作に応答して第１の合焦動作が行われた際には、前記距離記憶手段に保持されている第１の距離を新たに得られる第１の距離に更新し、
前記バウンス角算出手段は、前記測距指示部材が操作されずに第２の合焦動作が行われた際には、前記距離記憶手段から第１の距離を取得することを特徴とする請求項１または２記載の撮影装置。
【請求項４】
撮影方向を検知する検知手段と、半押しと全押しとに操作されるレリーズボタンとを備え、前記フォーカス制御手段は、前記検知手段によって検知されている撮影方向が上向きである状態では前記レリーズボタンを前記測距指示部材として、この前記レリーズボタンの半押しに応答して第１の合焦動作を実行し、撮影方向が上向き以外である場合のレリーズボタンの半押しに応答して第２の合焦動作を実行することを特徴とする請求項３記載の撮影装置。
【請求項５】
バウンス角を変化させる駆動機構を有するストロボ装置を備え、反射面にストボ光を照射して反射されるバウンス光で被写体を照明するバウンス撮影を行う撮影装置において、
外部から操作され、撮影レンズを反射面の反射させる部分に向けた第１の姿勢と撮影レンズを被写体に向けた第２の姿勢とを特定するために操作される特定指示部材と、
前記特定指示部材の操作で特定されたときの各姿勢における撮影光軸間の角度を測定する角度測定手段と、
前記角度手段で測定された角度をバウンス角とし、このバウンス角となるように前記駆動機構を駆動する駆動制御手段とを有することを特徴とする撮影装置。
【請求項６】
少なくとも第１の姿勢が特定されるまでの間に、撮影レンズを通して撮影される撮影範囲を表示する表示手段を備えたことを特徴とする請求項５記載の撮影装置。
【請求項７】
バウンス角を変化させる駆動機構を有するストロボ装置を備え、反射面にストボ光を照射して反射されるバウンス光で被写体を照明するバウンス撮影を行う撮影装置において、
撮影方向を検出する姿勢センサと、
前記姿勢センサの検出結果に基づいて、レリーズボタンの半押し時の撮影方向を基準として、バウンス角の可変方向についての撮影方向の変化角度を検出し、この検出した撮影方向の変化角度と変化方向に基づいて、前記駆動機構を駆動してバウンス角を修正する駆動制御手段とを備えたことを特徴とする撮影装置。
【請求項８】
前記駆動制御手段は、バウンス角を修正する際には、撮影方向が変化した方向とは逆向きに、検出した変化角度の１．５倍の角度でバウンス角を変化させることを特徴とする請求項７に記載の撮影装置。
【請求項９】
撮影レンズを通して被写体を撮影するイメージセンサと、このイメージセンサで撮影される画像をスルー画像として表示する表示手段と、バウンス角が可変なストロボ装置とを備え、反射面にストボ光を照射して反射されるバウンス光で被写体を照明するバウンス撮影を行う撮影装置において、
ストロボ装置に設定されているバウンス角を検出するバウンス角検出手段と、
被写体までの距離を取得する距離取得手段と、
この距離取得手段によって取得された被写体までの距離，前記撮影レンズの焦点距離，前記撮影レンズとストロボ装置の位置関係，前記ストロボ装置のバウンス角及びストロボ光の照射角に基づいて、被写体までの距離上におけるストロボ光が直接に照射される直接照射範囲を求める演算手段と、
前記演算手段で求めた直接照射範囲を前記スルー画像上に表示させる合成手段とを備えたことを特徴とする撮影装置。
【請求項１０】
バウンス角を変化させる駆動機構を有するストロボ装置とを備え、反射面にストボ光を照射して反射されるバウンス光で被写体を照明するバウンス撮影を行うことができる撮影装置において、
ストロボ装置に設定されているバウンス角を検出するバウンス角検出手段と、
被写体までの距離を取得する距離取得手段と、
この距離取得手段によって取得された被写体までの距離，撮影レンズの焦点距離，前記撮影レンズとストロボ装置の位置関係，前記ストロボ装置からのストロボ光の照射角に基づいて、被写体までの距離上における撮影範囲にストロボ光が直接に照射される直接照射範囲が重なることがない最小のバウンス角を求める演算手段と、
前記バウンス角検出手段によって検出されるバウンス角が前記最小のバウンス角よりも小さいときには、前記最小のバウンス角となるように前記駆動機構を駆動する駆動制御手段とを備えたことを特徴とする撮影装置。
【請求項１１】
前記距離取得手段は、撮影画面を分割した複数の測距点のそれぞれについて距離を取得し、
前記演算手段は、前記距離取得手段の測距結果に基づいてストロボ光が有効に到達する距離の有効到達領域を撮影範囲内で調べ、この有効到達領域に直接照射範囲が重なることがない最小のバウンス角を求めることを特徴とする請求項１０に記載の撮影装置。
【請求項１２】
バウンス角が可変であるとともに、ストロボ光の照射角を変化させる照射角変更機構を有するストロボ装置とを備え、反射面にストボ光を照射して反射されるバウンス光で被写体を照明するバウンス撮影を行う撮影装置において、
ストロボ装置に設定されている光のバウンス角を検出するバウンス角検出手段と、
ストロボ装置に設定されている照射角を検出する照射角検出手段と、
被写体までの距離を取得する距離取得手段と、
この距離取得手段によって取得された被写体までの距離，撮影レンズの焦点距離，前記撮影レンズとストロボ装置の位置関係，前記ストロボ装置のバウンス角に基づいて、被写体までの距離上における撮影範囲にストロボ光が直接に照射される直接照射範囲が重なることがない最大のストロボ光の照射角を求める演算手段と、
前記照射角検出手段によって検出された照射角が前記最大のストロボ光の照射角よりも大きいときには、前記最大のストロボ光の照射角となるように照射角変更機構を駆動する駆動制御手段とを備えたことを特徴とする撮影装置。
【請求項１３】
前記距離取得手段は、ピントが合致しているときの撮影レンズのフォーカスレンズのレンズ位置に基づいて被写体までの距離を取得することを特徴とする請求項９ないし１２のいずれか１項に記載の撮影装置。
【請求項１４】
バウンス角が可変なストロボ装置を備え、反射面にストボ光を照射して反射されるバウンス光で被写体を照明するバウンス撮影を行うことができる撮影装置において、
前記ストロボ装置に一体に設けられ、ストロボ光の照射方向と平行方向に、ストロボ光が直接に照射される反射面上の点またはエリアを表示するためのポイント光を出力する光源を備えること特徴とする撮影装置。
【請求項１５】
バウンス角を変化させる駆動機構を有するストロボ装置を備え、反射面にストボ光を照射して反射されるバウンス光で被写体を照明するバウンス撮影を行うことができる撮影装置において、
１回の撮影指示に応答して、前記駆動機構を駆動させてバウンス角を変化させるごとにストロボ撮影を実行させ、複数の異なるバウンス角でそれぞれバウンス撮影を行わせる制御手段を備えたことを特徴とする撮影装置。
【請求項１６】
１回の撮影指示に応答して、前記制御手段が実行すべきストロボ撮影の回数と各ストロボ撮影のバウンス角を入力する入力手段を備えたことを特徴とする請求項１５記載の撮影装置。
【請求項１７】
１回の撮影指示に応答して、前記制御手段が実行すべき１回目のバウンス角を設定する設定手段と、
被写体までの距離を取得する距離取得手段と、
この距離取得手段によって取得された被写体までの距離，前記撮影レンズの焦点距離，撮影レンズとストロボ装置の位置関係，前記ストロボ装置からのストロボ光の照射角に基づいて、被写体までの距離上における撮影範囲にストロボ光が直接に照射される直接照射範囲が重なることがない最小のバウンス角を求める演算手段とを備え、
前記制御手段は、１回目として設定されたバウンス角から順次に所定の角度ずつ前記最小のバウンス角まで変化させて複数回のバウンス撮影を行わせることを特徴とする請求項１５記載の撮影装置。
【請求項１８】
電池の残量を検出する検出手段を備え、前記制御手段は、電池残量に応じた回数でバウンス撮影を行わせることを特徴とする請求項１７に記載の撮影装置。
【請求項１９】
反射面にストボ光を照射して反射されるバウンス光で被写体を照明するバウンス撮影の際のバウンス角を変化させる駆動機構を有するストロボ装置を備えた撮影装置の制御方法において、
ストロボ光を反射させる反射面に対してオートフォーカスを作動させて撮影レンズのピントを合致させ、撮影レンズのフォーカスレンズの位置に基づいて反射面まで距離を測定する第１の測距ステップと、
被写体に対して前記オートフォーカスを作動させて撮影レンズのピントを合致させ、撮影レンズのフォーカスレンズの位置に基づいて被写体まで距離を測定する第２の測距ステップと、
第１の測距ステップと第２の測距ステップによって得られる各距離に基づいて、前記反射面にストロボ光を照射して反射されるバウンス光で被写体を照明するバウンス角を求める角度算出ステップと、
この角度算出ステップによって求められたバウンス角となるように前記駆動機構を駆動する駆動ステップとを有することを特徴とする撮影装置の制御方法。
【請求項２０】
撮影方向を検知する検知手段と、撮影を指示するためのレリーズボタンとを備え、前記検知手段によって検知されている撮影方向が上向きである場合のレリーズボタンの半押しに応答して前記第１の測距ステップを行い、撮影方向が上向き以外である場合のレリーズボタンの半押しに応答して前記第２の測距ステップを行うことを特徴とする請求項１９記載の撮影装置の制御方法。
【請求項２１】
反射面にストボ光を照射して反射されるバウンス光で被写体を照明するバウンス撮影の際のバウンス角を変化させる駆動機構を有するストロボ装置を備えた撮影装置の制御方法において、
外部からの指示で特定される反射面に撮影レンズを向けた第１の姿勢と被写体に撮影レンズを向けた第２姿勢とにおける撮影光軸間の角度を測定する角度測定ステップと、
前記角度測定ステップで測定された角度をバウンス角とし、バウンス角となるように前記駆動機構を駆動する駆動ステップとを有することを特徴とする撮影装置の制御方法。
【請求項２２】
反射面にストボ光を照射して反射されるバウンス光で被写体を照明するバウンス撮影の際のバウンス角を変化させる駆動機構を有するストロボ装置を備えた撮影装置の制御方法において、
レリーズボタンの半押し時の撮影方向を基準として、バウンス角の可変方向についての撮影方向の角度変化を検出し、この検出した角度変化の変化量と変化方向に基づいて前記駆動機構を駆動してバウンス角を修正する修正ステップを有することを特徴とする撮影装置の制御方法。
【請求項２３】
バウンス角が可変のストロボ装置を備え、反射面にストボ光を照射して反射されるバウンス光で被写体を照明するバウンス撮影を行うことができる撮影装置の制御方法において、
測定して得られる被写体までの距離と、前記ストロボ装置に設定されているバウンス角と、撮影レンズの焦点距離と、前記撮影レンズとストロボ装置の位置関係と、前記ストロボ装置のストロボ光の照射角とに基づいて、被写体までの距離上におけるストロボ光が直接に照射される直接照射範囲を求め、イメージセンサで撮影されて表示されるスルー画像上に、直接照射範囲を表示することを特徴とする撮影装置の制御方法。
【請求項２４】
バウンス角を変化させる駆動機構を有するストロボ装置を備え、反射面にストボ光を照射して反射されるバウンス光で被写体を照明するバウンス撮影を行うことができる撮影装置の制御方法において
測定して得られる被写体までの距離と、撮影レンズとストロボ装置の位置関係と、前記ストロボ装置のストロボ光の照射角とに基づいて、被写体までの距離上における撮影範囲にストロボ光が直接に照射される直接照射範囲が重なることがない最小のバウンス角を求め、設定されているバウンス角が前記最小のバウンス角よりも小さいときには、前記最小のバウンス角となるように前記駆動機構を駆動することを特徴とする撮影装置の制御方法。
【請求項２５】
バウンス角が可変であるとともに、ストロボ光の照射角を変化させる照射角変更部を有するストロボ装置とを備え、反射面にストボ光を照射して反射されるバウンス光で被写体を照明するバウンス撮影を行うことができる撮影装置の制御方法において
測定して得られる被写体までの距離と、撮影レンズとストロボ装置の位置関係と、前記ストロボ装置のバウンス角とに基づいて、被写体までの距離上における撮影範囲にストロボ光が直接に照射される直接照射範囲が重なることがないストロボ光の最大の照射角を求め、設定されている照射角が前記最大の照射角よりも大きいときには、前記最大のバウンス角となるように前記照射角変更部を駆動することを特徴とする撮影装置の制御方法。
【請求項２６】
バウンス角を変化させる駆動機構を有するストロボ装置とを備え、反射面にストボ光を照射して反射されるバウンス光で被写体を照明するバウンス撮影を行うことができる撮影装置の制御方法において、
１回の撮影指示に応答して、前記駆動機構を駆動させてバウンス角を変化させるごとにストロボ撮影を実行させ、複数の異なるバウンス角でそれぞれバウンス撮影を行わせることを特徴とする撮影装置の制御方法。
【発明の詳細な説明】
【技術分野】
【０００１】
本発明は、バウンス撮影行う撮影装置及びその制御方法に関するものである。
【背景技術】
【０００２】
ストロボ発光を行う撮影すなわちストロボ撮影において、バウンス撮影が知られている。このバウンス撮影は、ストロボ光を直接に被写体に向けて照射するのではなく、天井面や壁面等の反射面にストロボ発光を照射し、その反射面で反射されたバウンス光で被写体を照明する。バウンス撮影では、バウンス光の拡散性が高いため、コントラストが高くならずやわらかな印象の画像を得ることができる。
【０００３】
上記のようなバウンス撮影を適切に行うために、撮影方向（撮影レンズの光軸方向）とストロボ光の照射方向とのなすバウンス角を適切に設定する必要があるが、これらの設定は撮影者の経験等に基づいて行われていた。このような事情の下、バウンス撮影を適切に行うための種々のカメラ、ストロボ装置が提案されている。
【０００４】
特許文献１に記載のカメラでは、カメラの前面と上面部とにそれぞれ測距センサを設けている。そして、被写体に撮影レンズを向けた状態で、各測距センサにより被写体までの距離と天井までの距離とをそれぞれ計測し、各距離から撮影しようとしている被写体に対する適切なバウンス角を求めている。そして、その求めたバウンス角となるようにストロボ装置の角度を自動的調節している。
【０００５】
また、特許文献２に記載のカメラでは、ストロボ装置を回動させてバウンス撮影を行う状態としたときに、ストロボ光の照射角を広角側に自動的に設定する。これにより、広い範囲にストロボ光を照射して拡散させ、良好なバウンス撮影を行えるようにしている。さらに、特許文献３に記載のカメラでは、バウンス撮影を行う場合に、ストロボ装置からのストロボ光が直接に被写体に照射されないように、撮影レンズの焦点距離、バウンス角からストロボ光の照射角を設定している。
【０００６】
特許文献４に記載のストロボ装置では、ストロボ装置をバウンス撮影の状態としたときには、自動的にＴＴＬ調光に設定する等して、バウンス撮影に適した撮影が行われるように設定を変更している。さらに、特許文献５に記載のカメラでは、ストロボ光を反射する反射面の色を測色し、これをプリント時の色補正情報として写真フイルムに記録するようにしている。
【特許文献１】米国特許第５１９４８８５号明細書
【特許文献２】特公平２−１６８９７号公報
【特許文献３】特開２００２−７２３０１号公報
【特許文献４】特開平７−１８１５７０号公報
【特許文献５】特開平６−１３０４７０号公報
【発明の開示】
【発明が解決しようとする課題】
【０００７】
ところで、特許文献１では、被写体までの距離を測定する測距センサと天井までの距離を測定する測距センサをそれぞれ設けなければならず、部品点数の増加を招くという問題点や、例えば被写体を高い位置から俯瞰するように撮影する場合や低い位置から見上げるように撮影する場合には、反射面までの距離を正確に測定できないため不適切なバウンス角となるといった問題があった。
【０００８】
また、特許文献２のカメラのように、バウンス撮影の際にストロボ光の照射角を広角側に設定した場合には、ストロボ光が広い範囲で照射されることにより、光量が低下してバウンス撮影で可能な距離が短くなってしまうという制約が発生する。また、特許文献３のようにストロボ光が直接に撮影範囲に照射されないように照射角を設定すると、照射角の制限が大きくなり、より適切なバウンス角に設定しないと、反射したストロボ光が被写体に照射されないといった問題も発生する。
【０００９】
本発明は上記事情を考慮してなされたもので、制約が少なく容易に良好なバウンス撮影を行うことができる撮影装置及びその制御方法を提供することを目的とする。
【課題を解決するための手段】
【００１０】
上記目的を達成するために、請求項１記載の撮影装置では、反射面についての第１の操作に応答して、前記オートフォーカス手段を作動させて撮影レンズのピントを合致させる第１の合焦動作と、被写体についての第２の操作に応答して前記オートフォーカス手段を作動させて撮影レンズのピントを合致させる第２の合焦動作とを実行させるフォーカス制御手段と、第１の合焦動作によってピントが合致しているときの撮影レンズのフォーカスレンズのレンズ位置に基づいて反射面までの第１の距離を取得し、第２の合焦動作によってピントが合致しているときの撮影レンズのフォーカスレンズのレンズ位置に基づいて被写体までの第２の距離を取得する距離取得手段と、この距離取得手段から得られる第１の距離と第２の距離とからバウンス光で被写体を照明するバウンス角を求めるバウンス角算出手段と、このバウンス角算出手段で求めたバウンス角となるように前記駆動機構を駆動する駆動制御手段とを備えたものである。
【００１１】
請求項２記載の撮影装置では、フォーカス制御手段は、撮影範囲内の異なる３点以上の測距点のそれぞれについて第１の合焦動作を実行させ、距離取得手段は、各測距点までの距離をそれぞれ取得し、各測距点までの距離に基づいて、第１の合焦動作時における反射面に対する撮影光軸の傾きを補正して撮影光軸を反射面に垂直としたときの第１の距離を求めるものである。
【００１２】
請求項３記載の撮影装置では、測定した反射面まで距離を保持する距離記憶手段と、第１の合焦動作を実行させて反射面の測距を指示する測距指示部材とを備え、距離取得手段は、前記測距指示部材の操作に応答して第１の合焦動作が行われた際には、距離記憶手段に保持されている第１の距離を新たに得られる第１の距離に更新し、バウンス角算出手段は、測距指示部材が操作されずに第２の合焦動作が行われた際には、距離記憶手段から第１の距離を取得するものである。
【００１３】
請求項４記載の撮影装置では、撮影方向を検知する検知手段と、半押しと全押しとに操作されるレリーズボタンとを備え、フォーカス制御手段は、検知手段によって検知されている撮影方向が上向きである状態ではレリーズボタンを測距指示部材として、このレリーズボタンの半押しに応答して第１の合焦動作を実行し、撮影方向が上向き以外である場合のレリーズボタンの半押しに応答して第２の合焦動作を実行するものである。
【００１４】
請求項５記載の撮影装置では、外部から操作され、撮影レンズを反射面の反射させる部分に向けた第１の姿勢と撮影レンズを被写体に向けた第２の姿勢とを特定するために操作される特定指示部材と、特定指示部材の操作で特定されたときの各姿勢における撮影光軸間の角度を測定する角度測定手段と、角度手段で測定された角度をバウンス角とし、このバウンス角となるように前記駆動機構を駆動する駆動制御手段とを有するものである。
【００１５】
請求項６記載の撮影装置では、少なくとも第１の姿勢が特定されるまでの間に、撮影レンズを通して撮影される撮影範囲を表示する表示手段を備えたものである。
【００１６】
請求項７記載の撮影装置では、撮影方向を検出する姿勢センサと、姿勢センサの検出結果に基づいて、レリーズボタンの半押し時の撮影方向を基準として、バウンス角の可変方向についての撮影方向の変化角度を検出し、この検出した撮影方向の変化角度と変化方向に基づいて、駆動機構を駆動してバウンス角を修正する駆動制御手段とを備えたものである。
【００１７】
請求項８記載の撮影装置では、駆動制御手段は、バウンス角を修正する際には、撮影方向が変化した方向とは逆向きに、検出した変化角度の１．５倍の角度でバウンス角を変化させるものである。
【００１８】
請求項９記載の撮影装置では、ストロボ装置に設定されているバウンス角を検出するバウンス角検出手段と、被写体までの距離を取得する距離取得手段と、この距離取得手段によって取得された被写体までの距離，撮影レンズの焦点距離，撮影レンズとストロボ装置の位置関係，前記ストロボ装置のバウンス角及びストロボ光の照射角に基づいて、被写体までの距離上におけるストロボ光が直接に照射される直接照射範囲を求める演算手段と、演算手段で求めた直接照射範囲を前記スルー画像上に表示させる合成手段とを備えたものである。
【００１９】
請求項１０記載の撮影装置では、ストロボ装置に設定されているバウンス角を検出するバウンス角検出手段と、被写体までの距離を取得する距離取得手段と、この距離取得手段によって取得された被写体までの距離，撮影レンズの焦点距離，前記撮影レンズとストロボ装置の位置関係，ストロボ装置からのストロボ光の照射角に基づいて、被写体までの距離上における撮影範囲にストロボ光が直接に照射される直接照射範囲が重なることがない最小のバウンス角を求める演算手段と、バウンス角検出手段によって検出されるバウンス角が前記最小のバウンス角よりも小さいときには、前記最小のバウンス角となるように前記駆動機構を駆動する駆動制御手段とを備えたものである。
【００２０】
請求項１１記載の撮影装置では、距離取得手段は、撮影画面を分割した複数の測距点のそれぞれについて距離を取得し、演算手段は、距離取得手段の測距結果に基づいてストロボ光が有効に到達する距離の有効到達領域を撮影範囲内で調べ、この有効到達領域に直接照射範囲が重なることがない最小のバウンス角を求めるものである。
【００２１】
請求項１２記載の撮影装置では、ストロボ装置に設定されている光のバウンス角を検出するバウンス角検出手段と、ストロボ装置に設定されている照射角を検出する照射角検出手段と、被写体までの距離を取得する距離取得手段と、この距離取得手段によって取得された被写体までの距離，撮影レンズの焦点距離，撮影レンズとストロボ装置の位置関係，ストロボ装置のバウンス角に基づいて、被写体までの距離上における撮影範囲にストロボ光が直接に照射される直接照射範囲が重なることがない最大のストロボ光の照射角を求める演算手段と、照射角検出手段によって検出された照射角が前記最大のストロボ光の照射角よりも大きいときには、前記最大のストロボ光の照射角となるように照射角変更機構を駆動する駆動制御手段とを備えたものである。
【００２２】
請求項１３記載の撮影装置では、距離取得手段は、ピントが合致しているときの撮影レンズのフォーカスレンズのレンズ位置に基づいて被写体までの距離を取得するものである。
【００２３】
請求項１４記載の撮影装置では、ストロボ装置に一体に設けられ、ストロボ光の照射方向と平行方向に、ストロボ光が直接に照射される反射面上の点またはエリアを表示するためのポイント光を出力する光源を備えたものである。
【００２４】
請求項１５記載の撮影装置では、１回の撮影指示に応答して、駆動機構を駆動させてバウンス角を変化させるごとにストロボ撮影を実行させ、複数の異なるバウンス角でそれぞれバウンス撮影を行わせる制御手段を備えたものである。
【００２５】
請求項１６記載の撮影装置では、１回の撮影指示に応答して、制御手段が実行すべきストロボ撮影の回数と各ストロボ撮影のバウンス角を入力する入力手段を備えたものである。
【００２６】
請求項１７記載の撮影装置では、１回の撮影指示に応答して、制御手段が実行すべき１回目のバウンス角を設定する設定手段と、被写体までの距離を取得する距離取得手段と、この距離取得手段によって取得された被写体までの距離，撮影レンズの焦点距離，撮影レンズとストロボ装置の位置関係，ストロボ装置からのストロボ光の照射角に基づいて、被写体までの距離上における撮影範囲にストロボ光が直接に照射される直接照射範囲が重なることがない最小のバウンス角を求める演算手段とを備え、制御手段は、１回目として設定されたバウンス角から順次に所定の角度ずつ前記最小のバウンス角まで変化させて複数回のバウンス撮影を行わせるものである。
【００２７】
請求項１８記載の撮影装置では、電池の残量を検出する検出手段を備え、制御手段は、電池残量に応じた回数でバウンス撮影を行わせるものである。
【００２８】
請求項１９に記載の撮影装置の制御方法では、ストロボ光を反射させる反射面に対してオートフォーカスを作動させて撮影レンズのピントを合致させ、撮影レンズのフォーカスレンズの位置に基づいて反射面まで距離を測定する第１の測距ステップと、被写体に対して前記オートフォーカスを作動させて撮影レンズのピントを合致させ、撮影レンズのフォーカスレンズの位置に基づいて被写体まで距離を測定する第２の測距ステップと、第１の測距ステップと第２の測距ステップによって得られる各距離に基づいて、前記反射面にストロボ光を照射して反射されるバウンス光で被写体を照明するバウンス角を求める角度算出ステップと、この角度算出ステップによって求められたバウンス角となるように前記駆動機構を駆動する駆動ステップとを有するものである。
【００２９】
請求項２０載の撮影装置の制御方法では、撮影方向を検知する検知手段と、撮影を指示するためのレリーズボタンとを備え、検知手段によって検知されている撮影方向が上向きである場合のレリーズボタンの半押しに応答して第１の測距ステップを行い、撮影方向が上向き以外である場合のレリーズボタンの半押しに応答して第２の測距ステップを行うようにしたものである。
【００３０】
請求項２１に記載の撮影装置の制御方法では、外部からの指示で特定される反射面に撮影レンズを向けた第１の姿勢と被写体に撮影レンズを向けた第２姿勢とにおける撮影光軸間の角度を測定する角度測定ステップと、角度測定ステップで測定された角度をバウンス角とし、バウンス角となるように駆動機構を駆動する駆動ステップとを有するものである。
【００３１】
請求項２２に記載の撮影装置の制御方法では、レリーズボタンの半押し時の撮影方向を基準として、バウンス角の可変方向についての撮影方向の角度変化を検出し、この検出した角度変化の変化量と変化方向に基づいて駆動機構を駆動してバウンス角を修正する修正ステップを有するものである。
【００３２】
請求項２３に記載の撮影装置の制御方法では、測定して得られる被写体までの距離と、ストロボ装置に設定されているバウンス角と、撮影レンズの焦点距離と、撮影レンズとストロボ装置の位置関係と、ストロボ装置のストロボ光の照射角とに基づいて、被写体までの距離上におけるストロボ光が直接に照射される直接照射範囲を求め、イメージセンサで撮影されて表示されるスルー画像上に、直接照射範囲を表示するものである。
【００３３】
請求項２４に記載の撮影装置の制御方法では、測定して得られる被写体までの距離と、撮影レンズとストロボ装置の位置関係と、ストロボ装置のストロボ光の照射角とに基づいて、被写体までの距離上における撮影範囲にストロボ光が直接に照射される直接照射範囲が重なることがない最小のバウンス角を求め、設定されているバウンス角が前記最小のバウンス角よりも小さいときには、前記最小のバウンス角となるように駆動機構を駆動するものである。
【００３４】
請求項２５に記載の撮影装置の制御方法では、測定して得られる被写体までの距離と、撮影レンズとストロボ装置の位置関係と、ストロボ装置のバウンス角とに基づいて、被写体までの距離上における撮影範囲にストロボ光が直接に照射される直接照射範囲が重なることがないストロボ光の最大の照射角を求め、設定されている照射角が前記最大の照射角よりも大きいときには、前記最大のバウンス角となるように前記照射角変更部を駆動するものである。
【００３５】
請求項２６に記載の撮影装置の制御方法では、１回の撮影指示に応答して、前記駆動機構を駆動させてバウンス角を変化させるごとにストロボ撮影を実行させ、複数の異なるバウンス角でそれぞれバウンス撮影を行わせるものである。
【発明の効果】
【００３６】
本発明によれば、撮影レンズのオートフォーカス機能を利用して、ストロボ光を反射させるべき反射面と被写体との距離を測定して、バウンス撮影に最適なバウンス角を求め、このバウンス角となるようにストロボ装置を駆動するから、少ない部品点数でバウンス角を決定できるとともに、簡単に適切なバウンス撮影を行うことができる。
【００３７】
また、撮影レンズをストロボ光を反射させる部分に向けた姿勢と、被写体に向けた姿勢と各撮影光軸の間の角度を測定して、バウンス角を決定・設定するようにしたから、簡単な操作でバウンス角を設定することができる。この角度を測定のときに、スルー画像を表示するようにすることで、スルー画像で確認しながら撮影レンズを対象に向けることができる。
【００３８】
レリーズボタンの半押し時の撮影方向を基準として撮影方向の変化を監視し、その結果に基づいてバウンス角を補正するようにしたから、構図を変更したときにも適切なバウンス撮影を行うことができる。
【００３９】
さらに、被写体距離における撮影範囲でストロボ光が直接に照射される範囲をスルー画像上に表示し、あるいはその撮影範囲にストロボ光が直接に照射されないようにバウンス角、ストロボ光の照射角を変更するようにしたから、バウンス撮影の際に、撮影者に注意を促し、あるいはストロボ光の照射ムラのないバウンス撮影を行うことができる。
【００４０】
ストロボ光の照射方向と平行方向にポイント光を出力する光源をストロボ装置に一体に設け、ポイント光でストロボ光が直接に照射される反射面上の点またはエリアを表示するようにしたから、ストロボ光が直接に照射される反射面部分を撮影者が確認できる。
【００４１】
１回の撮影指示に応答して、バウンス角を変化させながら、複数回のバウンス撮影が行われるようにしたから、バウンス角を変化させた撮影画像を得ることができ、好ましいバウンス角で撮影された画像を取得することができる。
【発明を実施するための最良の形態】
【００４２】
本発明の第１実施形態を実施したデジタルカメラの前面側の外観を図１に、ストロボ発光部を回動させた状態の外観を図２に示す。デジタルカメラ２は、そのカメラ本体３の前面に撮影レンズ４を設けてある。また、上部には撮影を指示するためのレリーズボタン５と、ストロボ装置６のストロボ発光部７を設けてある。背面には操作部８とＬＣＤ９とを設けてある（図３参照）。操作部８は、デジタルカメラ２の電源をオン・オフするための電源ボタンや、各種モードの選択，ストロボ発光等の各種設定を行うための操作ボタン等で構成される。
【００４３】
デジタルカメラ２は、操作部８の操作によって撮影モードと再生モードを選択することができる。また、撮影モード下では、ストロボ発光を行わない非発光モードとストロボ発光を行う発光モードとがあり、さらに発光モードでは、ストロボ光を直接に被写体に向けて照射する通常のストロボ撮影モードの他に、部屋の天井面や壁面等の反射面にストロボ光を照射し、その反射面で反射されたバウンス光で被写体を照明するバウンス撮影を行うバウンス撮影モードを選択することができる。
【００４４】
バウンス撮影モードでは、ストロボ光を反射させる反射面までの距離と、被写体までの距離とをそれぞれ測定し、その測定結果に基づいて決定されるバウンス角Ａとなるようにストロボ発光部７を自動的に回動してから静止画の撮影が行われる。バウンス角Ａは、図２に示されるように、撮影レンズ４の光軸Ｐ１の方向とストロボ発光部７の光軸Ｐ２の方向との角、すなわち撮影方向とストロボ光の照射方向とのなす角である。
【００４５】
レリーズボタン５は、浅く押した半押しと、さらに押し込んだ全押しとの２段操作のものとなっている。通常では、これまでのデジタルカメラと同様に、レリーズボタン５の半押しに応答して、オートフォーカス機能で撮影レンズ４のピント合わせを行い、その後の全押しに応答して撮影レンズ４を通して静止画を撮影して記録する。一方、バウンス撮影モードでは、詳細を後述するように、１回目レリーズボタン５の半押しによって反射面までの距離の測定を行い、２回目レリーズボタン５の半押しによって被写体までの距離の測定が行わって、その後の全押し操作で静止画を撮影して記録する。
【００４６】
ストロボ発光部７は、静止画の撮影に同期してストロボ光を照射する。このストロボ発光部７は、左右方向に伸びた軸７ａによってカメラ本体３に取り付けられ、図１に示すようにバウンス角Ａを「０°」とした標準位置と、この標準位置から図２に示すように上方向に回動され、バウンス角Ａを例えば「９０°」とした上限位置との間で回動自在となっている。前述のように、バウンス撮影モードでは、デジタルカメラで決定されるバウンス角Ａとなるように自動的に回動される。
【００４７】
ＬＣＤ９は、撮影モード下では撮影範囲の被写体像を連続的に表示する、いわゆるスルー画像の表示を行う。撮影者は、このＬＣＤ９に表示されるスルー画像を観察することにより、フレーミングを行うことができる。また、ＬＣＤ９には、各種の設定画面や操作案内が表示される。ＬＣＤ９に表示される操作案内には、バウンス撮影モード時における操作指示も含まれる。
【００４８】
図３に上記デジタルカメラ２の要部構成を示す。システムコントローラ１０は、レリーズボタン５，操作部８からの各種操作信号に基づいて、デジタルカメラ２の各部を制御する。システムコントローラ１０には、ＲＯＭ１０ａ，ＲＡＭ１０ｂ，ＥＥＰＲＯＭ１０ｃが接続されている。ＲＯＭ１０ａにはシステムコントローラ１０が各部を制御するためのプログラムやパラメータを書き込んであり、ＲＡＭ１０ｂには処理に必要なデータ等が一時的に書き込まれる。ＥＥＰＲＯＭ１０ｃには、デジタルカメラ２の設定等が記憶され、電源をオフとしても記憶したデータが消えないようにしてある。
【００４９】
撮影レンズ４の背後にイメージセンサ１２を配してあり、撮影レンズ４を透過した被写体光がイメージセンサ１２の受光面に入射する。撮影レンズ４は、フォーカスレンズ１５ａを移動してピントを調節するためのフォーカス機構１５を備えている。このフォーカス機構１５は、フォーカスレンズ１５ａとフォーカスレンズ１５ａを光軸方向に移動するパルスモータやモータドライバ等で構成されている。
【００５０】
ＡＦ制御部１７は、フォーカス機構１５とともにオートフォーカス手段を構成し、フォーカス制御手段としてのシステムコントローラ１０の指示に基づいて、フォーカス機構１５の合焦動作を実行する。合焦動作では、ＡＦ制御部１７の制御によりフォーカス機構１５を作動してフォーカスレンズ１５ａを光軸方向に移動することによって、撮影レンズ４のピントが被写体に合致する位置を検出し、その合致するレンズ位置にフォーカスレンズ１５ａをセットする。
【００５１】
ＡＦ制御部１７は、撮影画面内に設定されたＡＦ検出領域の被写体部分にピントが合致するようにフォーカス機構１５を制御する。ＡＦ検出領域は、例えば撮影画面の中央に設定してある。このデジタルカメラ２は、いわゆるコントラスト検出方式によって撮影レンズ４のピントを被写体に合致させるものであり、ＡＦ制御部１７は、後述する撮像部１８からの画像データに基づいてＡＦ検出領域の高周波成分を積算したＡＦ評価値を求め、このＡＦ評価値が最大、すなわちＡＦ検出領域内の被写体像のコントラストが最大となるレンズ位置にフォーカスレンズ１５ａを移動させる。
【００５２】
なお、オートフォーカスの手法は、上記のような被写体像のコントラストによるものに限らず、撮影レンズ４を通して得られる光学像を用いた例えば位相差検出等の他の検出方法を採用することができる。また、外部の位相差検出式のＡＦセンサ等の測距結果を用いて撮影レンズ４のピント合わせを行ってもよい。
【００５３】
また、フォーカス機構１５は、フォーカスレンズ１５ａのレンズ位置を検出するエンコーダ１５ｂを備えている。このエンコーダ１５ｂは、例えばフォーカスレンズ１５ａを駆動するパルスモータに供給される駆動パルスの個数とパルスモータの回転方向とに基づきフォーカスレンズ１５ａのレンズ位置を検出し、そのレンズ位置をシステムコントローラ１０に送る。
【００５４】
システムコントローラ１０は、撮影レンズ４のピントが被写体に合致しているときのフォーカスレンズ１５ａのレンズ位置（以下、合焦レンズ位置という）に基づき、ピントが合致している被写体、反射面までの距離を取得する。なお、撮影レンズ４が焦点距離を変えることができるズームタイプの場合には、合焦レンズ位置と、合焦レンズ位置の検出時における撮影レンズ４の焦点距離とに基づいて被写体、反射面までの距離を取得することができる。
【００５５】
撮影部１８は、前述のイメージセンサ１２や、各種信号処理を行う信号処理回路等で構成される。イメージセンサ１２は、その受光面に多数に受光素子を備えており、撮影レンズ４によって結像される被写体像を電気的な画像信号に変換して出力する。なお、イメージセンサ１２としては、ＣＣＤ型やＭＯＳ型等の各種のものを用いることができる。
【００５６】
撮影部１８は、イメージセンサ１２からの画像信号に対して信号増幅処理，デジタル変換処理，γ補正処理，ホワイトバランス補正処理等の信号処理を行って得られる画像データを出力する。撮影モード下では、撮影部１８からの画像データが次々にＬＣＤドライバ１９に送られ、それに基づいてＬＣＤ９が駆動されることによって、ＬＣＤ９にスルー画像が表示される。
【００５７】
メモリ部２１は、記憶媒体、例えばデジタルカメラ２に着脱自在なメモリカードと、それに対して画像データの読み出し書き込みを行う回路等で構成される。レリーズボタン５の操作に応答した撮影で得られる静止画の画像データは、メモリ部２１に送られてメモリカードに書き込まれる。
【００５８】
ストロボ装置６は、ストロボ発光部７の他、発光回路２２，角度駆動部２３，エンコーダ２４から構成される。ストロボ発光部７は、箱状のハウジング２５，そのハウジング２５内部に配されストロボ光を放出するストロボ放電管２６、ストロボ光の照射範囲を調整するためにハウジング２５内に配された反射板２７、ハウジング２５の前面に取り付けられてストロボ放電管２６等を保護するプロテクタ２８等から構成される。ハウジング２５は、前述のように軸７ａによって回動自在にカメラ本体３に取り付けられ、角度駆動部２３によって回動される。ストロボ放電管２６は、発光回路２２からの電気エネルギーを受けてストロボ光を放出する。
【００５９】
発光回路２２は、ストロボ放電管２６によるストロボ発光を制御する。ストロボ光の発光量は、マニュアル等で設定することもできるが、バウンス撮影モードでは被写体に照射される光量が予測しづらいことから、被写体で反射されたストロボ光に基づいて発光量を制御するのがよい。
【００６０】
角度駆動部２３は、ハウジング２５を回動するためのモータやギア等から構成してある。エンコーダ２４は、ハウジング２５の回動角度、すなわちバウンス角Ａを検出し、その角度情報をシステムコントローラ１０に送る。システムコントローラ１０は、エンコーダ２４からの角度情報に基づいて角度駆動部２３をフィードバック制御し、設定すべきバウンス角Ａとなるようにハウジング２５を回動する。
【００６１】
システムコントローラ１０は、バウンス撮影モードでは、反射面測距処理、被写体測距処理、バウンス角算出処理、駆動処理の各処理を実行し、この後にレリーズボタン５が全押し操作されることに応答して静止画の撮影を行う。
【００６２】
反射面測距処理は、バウンス撮影の際にストロボ光を反射させる反射面までの距離を測定するための処理である。この反射面測距処理は、１回目のレリーズボタン５の半押しに応答して行われる。反射面測距処理では、合焦動作を実行させて撮影レンズ４のピントを反射面に合致させ、このときの合焦レンズ位置に基づいて反射面までの距離（以下、反射面距離という）を測定する。この反射面測距処理では、撮影者は、ストロボ光を反射させようとする反射面に撮影レンズ４を向けてレリーズボタン５を押圧する。なお、反射面測距処理をレリーズボタン５の半押しに応答して実行するが、全押しに応答して行うようにしてもよい。また、他の操作部材の操作に応答して反射面測距処理を実行してもよい。
【００６３】
被写体測距処理は、バウンス撮影で実際に撮影しようとしている被写体までの距離を測定するための処理であり、２回目のレリーズボタン５の半押し操作に応答して行われる。被写体測距処理では、合焦動作を実行させて撮影レンズ４のピントを被写体に合致させて、このときのフォーカスレンズ１５ａの位置に基づいて被写体距離を測定する。この被写体測距処理では、撮影者は、撮影しようとする被写体に撮影レンズ４を向けてレリーズボタン５を半押しにする。なお、被写体測距処理についても、他の操作部材の操作に応答させて行うようにすることもできるが、この被写体測距処理は、撮影のために被写体にピントを合致させる処理にもなっているので、この例のようにレリーズボタン５の半押しに応答させて行うのがよい。
【００６４】
バウンス角算出処理は、各測距処理によって得られる反射面距離と被写体距離とから、被写体に反射面で反射されたストロボ光が照射できるように、バウンス撮影に最適なバウンス角Ａを求める処理である。このバウンス角算出処理では、図４に模式的に示すように、測定された反射面３１（例えば天井面）までの反射面距離をＤ、被写体測距処理によって測定された被写体３２までの被写体距離をＨとしたときに、次のバウンス角算出式（１）によってバウンス角Ａを求める。駆動処理は、バウンス角算出処理によって算出されたバウンス角Ａとすべく、角度駆動部２３を介してストロボ発光部７を回動させる。
Ａ＝Ｔａｎ−１（２Ｈ／Ｄ）・・・（１）
【００６５】
次に上記構成の作用について説明する。例えば、バウンス撮影モードで撮影行う場合には、操作部８を操作して、撮影モード下で発光モードを選択し、さらにバウンス撮影モードを選択する。バウンス撮影モードが選択されると、図５に示すように、バウンス撮影のための処理が順次に行われる。
【００６６】
まず、反射面測距処理が実行され、撮影者に対して、反射面に撮影レンズ４を向けた状態としてレリーズボタン５の押圧操作を指示するために、図６（ａ）に一例を示すように、ＬＣＤ９には「カメラを真上または真横に向けてバウンスさせる反射面を中心に入れてください。レリーズボタンを半押ししてください。」の案内表示がＡＦ検出領域３５とともに表示される。撮影者は、この指示にしたがって、ストロボ光を反射させようとする反射物、例えば天井に正対するように、すなわち天井面に撮影光軸Ｐ１が垂直となるように撮影レンズ４を向けてレリーズボタン５を半押しとする。
【００６７】
このレリーズボタン５の１回目の半押しに応答して、システムコントローラ１０からの指示で、ＡＦ制御部１７が作動され、撮影レンズ４のフォーカスレンズ１５ａが前後に移動されて、ＡＦ検出領域中のコントラストが最大となる合焦レンズ位置が調べられ、その合焦レンズ位置にフォーカスレンズ１５ａがセットされる。
【００６８】
この後、エンコーダ１５ｂから合焦レンズ位置がシステムコントローラ１０に送られ、その合焦レンズ位置から撮影レンズ４のピントが合致している反射面までの反射面距離がシステムコントローラ１０によって判断される。このように取得した反射面距離は、ＲＡＭ１０ｂに一時的に記憶されるが、そのときに撮影されている画像については保存されることはない。
【００６９】
反射面距離の取得後、被写体測距処理が行われる。被写体測距処理が開始されると、撮影しようとする被写体に撮影レンズ４を向けた状態として、レリーズボタン５の押圧操作を指示するために、図６（ｂ）に示すように、ＬＣＤ９には「カメラを撮影した被写体に向けてください。レリーズボタンを半押してください。」の案内表示が表示される。
【００７０】
撮影者は、ＬＣＤ９に表示される指示にしたがって、撮影しようとする被写体に撮影レンズ４を向けてレリーズボタン５を半押しとする。このようにして２回目のレリーズボタン５が半押しされると、１回目の半押しと同様に、ＡＦ制御部１７が作動され、ＡＦ検出領域中のコントラストが最大となる合焦レンズ位置にフォーカスレンズ１５ａがセットされる。そして、その合焦レンズ位置に基づいて撮影レンズ４のピントが合致している被写体までの被写体距離がシステムコントローラ１０によって判断・取得される。
【００７１】
被写体距離を取得すると、バウンス角算出処理が行われ、取得した反射面距離（Ｈ）と被写体距離（Ｌ）とがバウンス角算出式に適用されることにより、バウンス角Ａがシステムコントローラ１０によって求められる。そして、角度駆動部２３によってストロボ発光部７が回動され、求めたバウンス角Ａとされる。
【００７２】
ストロボ発光部７が回動されてバウンス角Ａとなると、ストロボ撮影処理となり、図６（ｃ）に示すように、撮影準備が完了したことを示す案内をＬＣＤ９に表示してから、レリーズボタン５が全押しとされるのを待つ待機状態となる。
【００７３】
レリーズボタン５が全押しとされると、イメージセンサ１２によって静止画の撮影が行われ、その露光期間中にはストロボ発光部７よりストロボ光が照射される。そして、得られる静止画の画像データがメモリ部２１に送られてメモリカードに記録される。
【００７４】
上記の撮影時には、ストロボ光が反射面である例えば天井面で反射されて被写体に照射されるが、バウンス角Ａを上記のように自動的に設定しているので、反射されたストロボ光が被写体に適切に照射される。また、上記のように撮影者は、反射面と被写体とに撮影レンズ４を順次に向けてそれぞれレリーズボタン５を押圧操作するだけなので簡単な操作でバウンス角Ａを設定することができる。そして、バウンス角Ａを算出すために反射面距離の測定には、撮影レンズ４のオートフォーカス機能を用いて測定しているので、部品点数の低減、装置の簡略化を図ることができる。
【００７５】
図７，図８に第２実施形態を示す。この第２実施形態は、反射面測距処理の際に、撮影範囲内の異なる３点以上の測距点について測距を行うことで、反射面にデジタルカメラが正対されない場合にも、バウンス角Ａを適切に設定することができるようにしたものである。なお、以下に詳細を説明する他は、第１実施形態と同様であり、同じ構成部材には、同じ符号を付してその説明を省略する。
【００７６】
図７に示すように、撮影画面４１内には、３カ所の第１〜第３ＡＦ検出領域４２ａ〜４２ｃを設定してある。第１〜第３ＡＦ検出領域４２ａ〜４２ｃは、上下方向に等間隔に１列に並べてあり、撮影画面４１の中心に第２ＡＦ検出領域４２ｂを配してあり、その上側に第１検出領域４２ａを、下側に第２検出領域４２ｂをそれぞれ配してある。
【００７７】
反射面測距処理の際には、ＡＦ制御部１７は、システムコントローラ１０の制御されて、第１〜第３ＡＦ検出領域４２ａ〜４２ｃ内に順次にピントが合致するように、フォーカス機構１５を駆動する。これにより、第１〜第３ＡＦ検出領域４２ａ〜４２ｃの内の反射面の部分である第１〜第３測距点Ｄ１〜Ｄ３に順次にピントを合致させる。システムコントローラ１０は、第１〜第３測距点Ｄ１〜Ｄ３に順次にピントが合致するごとに、そのときの合焦レンズ位置に基づいて第１〜第３測距点の距離Ｈ１〜Ｈ３を取得する。
【００７８】
システムコントローラ１０は、第１測距点Ｄ１の距離Ｈ１と第３測距点Ｄ３の距離Ｈ３とが等しいときには、デジタルカメラ２が反射物に正対している、すなわち撮影光軸Ｐ１が反射面に垂直となっているとして、第２測距点Ｄ２の距離Ｈ２を反射面距離Ｈ（＝Ｈ２）として、前述のバウンス角演算式（１）によってバウンス角Ａを算出する。
【００７９】
一方、第１測距点Ｄ１の距離Ｈ１と第３測距点Ｄ３の距離Ｈ３とが異なる場合には、次の補正演算式（２）によって反射面距離Ｈを算出し、その算出した反射面距離Ｈを用いて前述のバウンス角演算式（１）によってバウンス角Ａを算出する。
Ｈ＝Ｈ２・ｃｏｓθ１・・・（２）
但し、θ３＜９０°の場合、θ１＝９０°−θ３
θ３＞９０°の場合、θ１＝θ３−９０°
θ３＝ｔａｎ−１（Ｘａ／（Ｈ２−Ｙａ）
Ｘａ＝Ｈ１・ｓｉｎ（θ２／２）
Ｙａ＝Ｈ１・ｃｏｓ（θ２／２）
【００８０】
図８に示すように、デジタルカメラ２の距離を測定する基点、例えば撮影レンズ４の先端を原点Ｏとし、撮影光軸Ｐ１方向をＹ軸、このＹ軸とストロボ発光部７の回動軸とに直交する方向をＸ軸とした二次元座標において、上記式中のＸａ，Ｙａは、反射面３１上の第１測距点Ｄ１の座標である。角度θ１は、反射面３１の法線（垂直線）と撮影光軸Ｐ１とのずれ角度である。角度θ２は、原点から第１測距点Ｄ１に向かう方向と第３測距点Ｄ３に向う方向との角度であって、撮影レンズ４の焦点距離，撮影画面上における第１，第３ＡＦ検出領域４２ａ，４２ｃの距離によって決まる値である。角度θ３は、撮影光軸Ｐ１と反射面３１の角度である。
【００８１】
通常、撮影者が反射面３１に対して撮影光軸Ｐ１が垂直となるようにすることは難しいが、この第２実施形態によれば、反射面に対して撮影光軸Ｐ１を垂直にできなくても、反射面に対して撮影光軸Ｐ１を垂直にしたときの正しい反射面距離Ｈを取得できるので、バウンス角Ａを適切に求めることができる。
【００８２】
上記実施形態では、上下方向に１列に並ぶ３点のＡＦ検出領域を用いて、３点の測距点までの距離を測定して反射面距離を求めているが、例えば図９に示すように、撮影画面の上下方向の他に左右方向にも３点のＡＦ検出領域４２ｄ，４２ｂ，４２ｅが１列に並ぶようにして配し、反射面の傾斜を三次元的に捕らえて、反射面距離を算出してもよい。なお、図１０に示すように、撮影画面内に最低で３点のＡＦ検出領域４４ａ〜４４ｃを設ければ、少ない合焦動作で反射面の傾斜を三次元的に捕らえて、反射面距離を算出することができる。
【００８３】
また、例えば水平面を有する天井等に対してデジタルカメラの撮影レンズを真上に向けない場合の他、デジタルカメラの撮影レンズを真上に向けているが天井面自体が斜面になっている場合にも利用することができる。
【００８４】
図１１に第３実施形態を示す。この第３実施形態は、測定した最新の反射面距離を保持しておき、反射面距離の測距の指示がある場合に限り反射面測距処理を行い、それ以外の場合では保持している反射面距離を用いてバウンス角の算出を行うようにしたものである。なお、以下に詳細を説明する他は、第１実施形態と同様であり、同じ構成部材には、同じ符号を付してその説明を省略する。
【００８５】
カメラ本体３には、測距指示部材としての再測距ボタン５１を設けてあり、これを操作することによって、反射面測距処理の実行が指示されるとともに、反射面距離の更新が行われる。反射面測距処理で取得される反射面距離は、ＥＥＰＲＯＭ１０ｃに記憶され、電源のオフ等によっても保持される。ＥＥＰＲＯＭ１０ｃに、すでに反射面距離が記憶されている場合には、それに上書きすることにより、新たに取得される反射面距離がＥＥＰＲＯＭ１０ｃに書き込まれて更新される。
【００８６】
図１２に示すように、バウンス撮影モードが選択された場合には、ＥＥＰＲＯＭ１０ｃに反射面距離が記憶されているか否かが調べられる。反射面距離が記憶されていない場合には、反射面測距処理が実行される。したがって、この場合には、次のレリーズボタン５の半押しによって反射面測距処理が実行され、その結果取得される反射面距離がＥＥＰＲＯＭ１０ｃに書き込まれる。
【００８７】
一方、反射面距離が記憶されている場合には、再測距ボタン５１の押圧操作によって、反射面距離が指示されているか否かが調べられる。再測距ボタン５１の押圧操作された場合には、レリーズボタン５の半押しに応答して、反射面測距処理が実行され、その処理で取得される反射面距離がＥＥＰＲＯＭ１０ｃに書き込まれ、ＥＥＰＲＯＭ１０ｃの反射面距離が新たに取得された値に更新される。なお、レリーズボタン５の半押しする代わりに、再測距ボタン５１の押圧操作に応答して反射面測距処理が実行されるようにしてもよい。この場合には、撮影レンズ４を反射面に向けた状態で再測距ボタン５１を押圧する。
【００８８】
上記のようにして反射面測距処理が実行された場合にも、また反射面測距処理が実行されなかった場合にも、次に被写体測距処理が実行され、さらにバウンス角算出処理が実行されるが、このときにはＥＥＰＲＯＭ１０ｃに記憶されている反射面距離が用いられる。そして、この後に駆動処理、ストロボ撮影処理が実行される。
【００８９】
したがって、この例によれば、過去にバウンス撮影を行った際に測定された反射面距離がＥＥＰＲＯＭ１０ｃに記憶されている場合には、再測距ボタン５１の操作せずに、レリーズボタン５を半押しとすれば、ＥＥＰＲＯＭ１０ｃに記憶されている反射面距離をも用いてバウンス角Ａが算出されるので、反射面距離が変わらないような場合には、迅速にバウンス撮影ができる。また、必要に応じて再測距ボタン５１の操作で反射面距離を更新できる。
【００９０】
図１３及び図１４に第４実施形態を示す。この第４実施形態では、デジタルカメラを上向きとすることによって、再測距の指示とするものである。なお、以下に説明する他は、第３実施形態と同様である。
【００９１】
図１３に示すように、システムコントローラ１０には、姿勢センサ５３が接続されている。姿勢センサ５３は、デジタルカメラ２が上向き、すなわち撮影レンズ４による撮影方向が上向きとなっているか否かを判断できるセンサであれば、どのような種類のセンサをも用いることもできる。システムコントローラ１０は、姿勢センサ５３からの検出信号に基づき、撮影方向が上向きであるか否かを判断する。
【００９２】
図１４に示すように、バウンス撮影モード下において、レリーズボタン５が半押しとされると、ＡＦ制御部１７によって撮影レンズ４のピント合わせが行われる。そして、このときに、姿勢センサ５３からの検出信号に基づいてデジタルカメラ２が上向きであることが検出された場合には、システムコントローラ１０は、その上向きになっている状態でのレリーズボタン５の半押しを反射面距離の再測距の指示であると判断する。このため、合焦レンズ位置に基づいて取得される距離を反射面距離としてＥＥＰＲＯＭ１０ｃに記憶してから被写体測距処理を実行する。
【００９３】
この例によれば、反射面距離を再測距する場合には、デジタルカメラ２を上向きにしてレリーズボタン５を半押しとするだけでよいので、操作を簡略化することができる。なお、この例ではデジタルカメラ２を上向きにして、レリーズボタン５を半押しにしてから、さらに押し込んで全押しとした場合には、上向きでの撮影であると判断して通常ストロボ撮影を行うようにしている。
【００９４】
図１５に第５実施形態を示す。この第５実施形態は、実際にストロボ光を反射させようとする反射面の反射させる部分に撮影レンズを向けた姿勢と被写体に撮影レンズを向けた姿勢とをそれぞれ外部からの指示で特定し、特定した各姿勢における撮影光軸間の角度をバウンス角とするようにしたものである。なお、上記実施形態と実質的に同じ構成部材には同一の符号を付してその説明を省略する。
【００９５】
デジタルカメラの構成は、第４実施形態と同様であって姿勢センサ５３を備えている。この例では、バウンス角を上下方向に変化させる場合を想定しているため、姿勢センサ５３としてはバウンス角の可変方向と同じ上下方向の角度（仰角）を検出できるものを用いている。
【００９６】
図１５に示すように、バウンス撮影モードに設定した場合には、反射面の実際にストロボ光を反射させようとする部分にデジタルカメラ、すなわち撮影レンズ４を向けてレリーズボタン５を半押しとする案内が、例えばＬＣＤ９に表示される。撮影者は、これにしたがって、図１６（ａ）に点線で示すように、ストロボ光を反射させようとする部分に撮影レンズ４を向けてレリーズボタン４を半押しとする。この操作の際には、ＬＣＤ９にスルー画像が表示されているため、撮影者は、このスルー画像を観察することで、撮影レンズ４を向けている部分を容易に確認することができる。
【００９７】
特定指示部材としてのレリーズボタン５が半押しとされると、システムコントローラ１０によって、その時点の例えば水平に対する撮影方向の角度である第１角度が姿勢センサ５３からの検出信号に基づき判断されて、これがＲＡＭ１０ｂに記憶される。
【００９８】
続いて、被写体に撮影レンズ４を向けてレリーズボタン５を半押しとする案内がＬＣＤ９に表示され、撮影者はこれに従い操作する。このときにも、ＬＣＤ９にはスルー画像が表示されているため、撮影者は、このスルー画像を観察することで、被写体に正しく撮影レンズ４を向けているか否かを容易に確認することができる。
【００９９】
被写体に撮影レンズ４を向けた後、レリーズボタン５が半押しとされると、システムコントローラ１０によって、その時点の撮影方向の角度である第２角度が姿勢センサ５３からの検出信号に基づき判断されて、これがＲＡＭ１０ｂに記憶される。
【０１００】
上記のようにして第１角度，第２角度を取得すると、姿勢センサ５３とともに角度測定手段を構成するシステムコントローラ１０は、ストロボ光を反射させる反射面の部分に撮影レンズ４を向けたときの撮影光軸Ｐ１と被写体に向けたときの撮影光軸Ｐ１との間の角度αを第１角度，第２角度の角度差として求め、この角度αを適切なバウンス角Ａとする。そして、角度駆動部２３を介して、その求めたバウンス角Ａとなるようにストロボ発光部７を回動する。
【０１０１】
これによれば、簡単にバウンス角Ａを設定できる他、ストロボ発光部７からのストロボ光が実際に反射される部分をＬＣＤ９等の表示手段で確認しながらバウンス角Ａを設定できる。しかも、ほぼ確実に意図した反射面の部分にストロボ光を照射して反射させることができる。
【０１０２】
上記実施形態では、バウンス角を上下方向に変化させる場合を想定して上下方向の角度（仰角）を姿勢センサ５３で検出しているが、バウンス角の変化させるその方向は上下方向に限るものではなく、バウンス角の設定方向についての角度を姿勢センサ５３で検出すればよい。また、ストロボ光を反射させる反射面の部分に撮影レンズ４を向けたときの撮影光軸Ｐ１と、被写体に向けたときの撮影光軸Ｐ１との間の角度差が得られればよいから、一方に撮影レンズ４を向けたときの角度を基準に他方に撮影レンズ４を向けたときの角度を図ることができればよい。このようなセンサとしては、角速度センサ等を用いることができる。
【０１０３】
第６実施形態を図１７，図１８に示す。この第６実施形態は、バウンス角の設定後の撮影方向の変化に応じて、バウンス角を修正するものである。なお、この例におけるデジタルカメラは、第４実施形態と同じく姿勢センサ５３を備え、この姿勢センサ５３によって撮影方向（撮影光軸Ｐ１の方向）を測定できるようにしてあり、実質的に同じ構成部材には同一の符号を付してその説明を省略する。
【０１０４】
図１７に示すように、バウンス撮影モードで撮影を行う場合には、まずストロボ発光部７のバウンス角Ａを設定する。このバウンス角Ａの設定は、撮影者自身が手動で行ってもよく、また他の実施形態のように自動的にバウンス角Ａが設定されるようにしてもよい。
【０１０５】
バウンス角Ａの設定後、図１８に実線で示すように、撮影者は、撮影レンズ４を被写体に向けてフレーミングを行い、レリーズボタン５を半押しとする。レリーズボタン５を半押しとすると、撮影レンズ４のピントが被写体に合致されるとともに、そのときの撮影方向（撮影光軸Ｐ１の方向）が姿勢センサ５３によって測定され、これが基準方向としてＲＡＭ１０ｂに書き込まれて保持される。
【０１０６】
基準方向の書き込み後で、レリーズボタン５の半押しが維持されている間では、姿勢センサ５３の検出信号がシステムコントローラ１０によって監視され、基準方向に対する撮影方向の変化の有無が調べられる。
【０１０７】
撮影者が基準方向に対して撮影方向を下方向あるいは上方向に振った場合には、システムコントローラ１０は、基準方向に対する撮影方向の変化した方向と、その変化量とを調べ、その変化した方向と逆方向に、変化量の１．５倍の大きさで、角度駆動部２３を介してストロボ発光部７を回動し、バウンス角Ａを修正する。
【０１０８】
例えば、図１８に破線で示すように被写体３２である人物がしゃがみこむことにともない、撮影者が撮影方向を下方向に基準方向に対して角度βだけ振った場合には、ストロボ発光部７が上方向に角度「１．５β」だけ回動されてバウンス角Ａが修正される。これにより、適切に被写体にストロボ光が照射されるようにバウンス角Ａが修正される。
【０１０９】
なお、この実施形態では、撮影方向が角度βで変化するように被写体が移動するシーンを想定し、撮影方向の変化量の１．５倍の角度でバウンス角Ａを修正している。これにより、ストロボ光が照射される範囲が被写体の後方にずれることを防止している。もちろん、被写体に移動がなく、単にフレーミングを変えるために撮影方向を上方向、下方向に振る場合に撮影方向の変化量と同じ大きさでバウンス角Ａを修正することもできる。
【０１１０】
上記第４〜第６実施形態では、撮影方向、撮影方向の変化を検出するために、姿勢センサを設けているが、手ブレ補正機能を有するデジタルカメラでは、手ブレ補正のために手ブレを検出するために内蔵されている角速度センサを姿勢センサとして用いることもできる。
【０１１１】
図１９に第７実施形態を示す。この第７実施形態は、バウンス撮影の際にストロボ光が直接に照射される直接照射範囲をスルー画像上に表示するものである。なお、以下に説明する他は、第１実施形態と同様であり、実質的に同じ構成部材には同一の符号を付してその説明を省略する。
【０１１２】
バウンス撮影モードで撮影を行う場合には、まずストロボ発光部７のバウンス角Ａを設定する。このバウンス角Ａの設定は、撮影者自身が手動で行うようにしてもよく、また他の実施形態のように自動的にバウンス角Ａが設定されるものでもよい。撮影者自身がストロボ発光部７の直接に操作してバウンス角Ａを設定する場合には、角度制御部２３は省略することができる。
【０１１３】
バウンス撮影モード下では、システムコントローラ１０は、レリーズボタン５が半押しとされると、ＡＦ制御部１７を介して撮影レンズ４のピントを被写体に合致させた後、エンコーダ２４からの角度情報に基づいて、ストロボ発光部７のバウンス角Ａを取得する。そして、この取得したバウンス角Ａと、フォーカスレンズ１５ａの合焦レンズ位置に基づいて取得する被写体距離等を用いて、撮影範囲内でストロボ光が直接に照射される直接照射領域を演算して求め、その範囲をＬＣＤ９上でスルー画像に重ねて表示する。
【０１１４】
図２０に示すように、撮影レンズ４のピントが合致している被写体距離Ｌ上における撮影範囲Ｚ１に対して、バウンス角Ａでストロボ光を照射したときの直接照射領域Ｚ２を演算で求める。この例では、直接照射領域Ｚ２は、ストロボ光が反射されてくる方向で撮影範囲の縁部の幅として次の式（３）によって算出する。
Ｚ２＝Ｌ・ｔａｎ（θａ／２）−ｈ−（ｃ＋Ｌ）・ｔａｎ（Ａ−θｂ／２）・・・（３）
【０１１５】
上記の式（３）中の値「Ａ」は設定されているバウンス角Ａである。値「θａ」は、バウンス角Ａの設定方向における撮影画面の画角であり、反射面３１として上方の天井面でストロボ光を反射させるのであれば設定方向が上下方向となるので垂直画角である。この画角θａは、撮影レンズ４の焦点距離とイメージセンサ１２の受光面のサイズとのによって決まるが、ズームレンズのように焦点距離が変化する場合には、焦点距離を検出して演算によって求めればよい。値「θｂ」は、ストロボ発光部７によるストロボ光の照射角であり、照射角θｂについても、バウンス角Ａの設定方向における角度である。
【０１１６】
値「ｃ」，値「ｈ」は、垂直画角θａと照射角θｂの基準点のズレ量であり、値「ｃ」は、撮影光軸Ｐ１方向のずれ、値「ｈ」は撮影光軸Ｐ１と直交する方向のずれである。なお、画角θａの基準点、照射角θｂの基準点は、いずれもそれらの角の頂点となる部分である。
【０１１７】
システムコントローラ１０は、直接照射領域Ｚ２を求めると、それをＬＣＤ９上の幅に変換してから、図２１に示すように、ＬＣＤ９にスルー画像５６とともに、変換した直接照射領域Ｚ２に相当する範囲表示画像５７を表示する。例えば範囲表示画像５７は、その範囲のスルー画像５６に薄い色を重ねるようにして表示される。
【０１１８】
以上のようにしてスルー画像上に直接照射領域を表示することにより、撮影者は、ストロボ光が直接に照射される範囲を事前に確認することができ、必要に応じてバウンス角Ａの設定等を変更できる。なお、ＬＣＤ上での直接照射領域の表示方法は、上記のものに限られるものではない。
【０１１９】
図２２に第８実施形態を示す。この第８実施形態では、撮影範囲に直接照射領域が重ならないように、設定されているバウンス角を修正するものである。なお、デジタルカメラの構成は、第１実施形態のものと同様である。
【０１２０】
バウンス撮影モード下でレリーズボタン５の半押しとすると、第７実施形態同じく、エンコーダ２４の角度情報から取得されるバウンス角Ａや合焦レンズ位置に基づいて取得する被写体距離Ｌ等から、被写体距離Ｌ上における直接照射領域が求められ、被写体距離Ｌ上の撮影範囲に直接照射領域が重なる場合には、ＬＣＤ９に表示されているスルー画像上に直接照射領域の範囲が表示される。
【０１２１】
この後、被写体距離Ｌ上の撮影範囲に直接照射領域が重なる場合に、撮影者がバウンス角Ａの自動修正を指示すると、被写体距離Ｌ上の撮影範囲に直接照射領域が重ならないバウンス角Ａがシステムコントローラ１０によって求められ、そのバウンス角Ａとなるように角度制御部２３によりストロボ発光部７が回動される。なお、自動修正の指示は、例えば操作部８の操作で行う。
【０１２２】
被写体距離Ｌ上の撮影範囲に直接照射領域が重ならないようにするバウンス角Ａは、次の式（４），（５）をそれぞれ満たす値として求められる。なお、式（４），（５）をそれぞれ満たす最も小さなバウンス角Ａとすれば、撮影者の設定したバウンス角との差が小さくなるので好ましく、この例でもそのようにしている。
Ｌ・ｔａｎ（θａ／２）≦（ｃ＋Ｌ）・ｔａｎ（Ａ−θｂ／２）＋ｈ・・・（４）
Ａ≦９０°＋θｂ／２・・・（５）
【０１２３】
なお、上記の式（４），（５）中の値「Ａ」はバウンス角Ａ、値「θａ」はバウンス角Ａの設定方向における撮影画面の画角、値「θｂ」は、バウンス角Ａの設定方向におけるストロボ光の照射角である。また、値「ｃ」，値「ｈ」は、垂直画角θａと照射角θｂの基準点のズレ量であり、値「ｃ」は、撮影光軸Ｐ１方向のずれ、値「ｈ」は撮影光軸Ｐ１と直交する方向のずれである。
【０１２４】
また、撮影範囲に直接照射領域が重なる場合であっても、撮影者がバウンス角Ａの自動修正を指示しなければ、バウンス角Ａを修正することなく、ストロボ撮影を行うことができる。これにより、撮影者が意図して、撮影範囲に直接照射領域を重ねた撮影もできるようにしている。
【０１２５】
上記の第８実施形態では、被写体距離上での撮影範囲に直接照射領域が重なる場合には、バウンス角を変化させて撮影範囲に直接照射領域が重ならないようにしているが、図２３及び図２４に示す第９実施形態のように、バウンス角Ａを維持したままストロボ光の照射角θｂを変化させて被写体距離上での撮影範囲に直接照射領域が重ならないようにすることもできる。
【０１２６】
この場合には、被写体距離Ｌ上での撮影範囲に直接照射領域が重ならないようにする照射角θｂを、前述の式（４），（５）をそれぞれ満たす値として求める。なお、式（４），（５）をそれぞれ満たす最も大きな照射角θｂとするのが好ましく、この例でもそのようにしている。照射角θｂの変更は、照射角駆動部５８によって、ストロボ発光部７に設けた反射板２７を前後方向にスライドさせることにより行っている。もちろん、その他の手法で照射角θｂを変更してもよい。
【０１２７】
上記第８，第９実施形態によれば、撮影者が不適切なバウンス角Ａ、あるいは照射角を設定したとしても、自動的に修正することができるので、良好なバウンス撮影を簡単に行うことができる。
【０１２８】
上記第８，第９実施形態では、撮影レンズとイメージセンサの受光面のサイズによってきまる被写体距離上での撮影範囲に直接照射領域が重ならないようにしているが、図２５に示す第１０実施形態のように、直接に照射されるストロボ光が有効に到達する有効到達距離を考慮した撮影範囲に直接照射範囲が重なることがないようにしてもよい。
【０１２９】
第１０実施形態では、図２５に示すように、図２７に示すように、撮影画面４１には、マトリクス状に複数のＡＦ検出領域Ｆｉｊ（ｉ＝１〜５，ｊ＝１〜３）を設けてある。これらのＡＦ検出領域Ｆｉｊにより、撮影範囲を複数に分割した各測距点のそれぞれについて測距を行うことができる。各測距点についての測距は、第２実施形態と同様に、各ＡＦ検出領域Ｆｉｊに順番にピントが合致するように撮影レンズ４のフォーカスレンズ１５ａを制御し、システムコントローラ１０が各ＡＦ検出領域Ｆｉｊについてフォーカスレンズ１５ａのレンズ位置から被写体距離を求めている。
【０１３０】
各ＡＦ検出領域Ｆｉｊの測距が完了すると、システムコントローラ１０は、それら各ＡＦ検出領域Ｆｉｊの測距結果と、ストロボ光が有効に到達する距離（以下、有効到達距離）とを比較して、有効到達距離以下となる撮影範囲である有効到達領域を特定する。
【０１３１】
例えば、システムコントローラ１０は、水平方向に並ぶ各ＡＦ検出領域Ｆｉｊを１ラインとして、撮影画面４１の上のラインから順番に、ライン中のＡＦ検出領域Ｆｉｊに対応する測距点が有効到達距離以下のであるか否かを調べる。そして、ライン中の測距点が１つでも有効到達距離以下である場合には、そのラインとそれより下側の範囲を有効到達領域とする。したがって、最も上のラインの各測距点の１つでも有効到達距離以下である場合には、撮影範囲の全範囲が有効到達領域となる。図２５の例では、ＡＦ検出領域Ｆ２１〜Ｆ２３を含む２ライン目とそれ以下が有効到達領域となっている。
【０１３２】
なお、この例では天井面等のように上方にある反射面にストロボ光を反射させる場合を想定し、撮影範囲に直接照射領域が重なる場合には、直接照射領域が撮影範囲の上部に形成されるため、上記のようにして有効到達領域を特定しているが、この特定は撮影範囲に対して反射面がいずれの側にあるかによって変えればよい。例えば、撮影画面４１の横方向にある壁面を反射面とする場合には、直接照射領域が撮影範囲の横側で重なるから、有効到達領域とそうでない領域を左右に分ければよい。
【０１３３】
次にシステムコントローラ１０は、撮影光軸の上側の有効到達領域の画角θｃを求め、この画角θｃを用いた次の式（６），（７）を満たすバウンス角Ａを求める。これによって求められるバウンス角Ａは、被写体距離Ｌ上における有効到達領域の範囲に直接照射領域が重ならないようにする角度である。画角θｃは、有効到達領域の高さと撮影画面の高さとの比率と、画角θａとから求めることができる。そして、バウンス角Ａの自動修正が指示されると、そのバウンス角Ａとなるようにストロボ発光部７が回動される。なお、最も小さなバウンス角Ａとするのが好ましく、この例でもそのようにしている。
Ｌ・ｔａｎθｃ≦（ｃ＋Ｌ）・ｔａｎ（Ａ−θｂ／２）＋ｈ・・・（６）
Ａ≦９０°＋θｂ／２・・・（７）
【０１３４】
この例によれば、主要被写体に対してストロボ光が直接に照射されることを避けながら、より小さいバウンス角Ａとすることができるため、より遠くの主要被写体についてバウンス撮影を行う場合に有利となる。なお、この実施形態では、バウンス角Ａを修正しているが、第９実施形態のように、照射角を修正してもよい。
【０１３５】
なお、上記第７〜第１０実施形態では、被写体距離をフォーカスレンズ１５ａのレンズ位置から取得しているが、被写体距離を測定・取得する方法はこれに限られるものではない。
【０１３６】
図２６示す第１１実施形態を示す。この第１１実施形態は、ストロボ光が直接に照射される反射面上の点またはエリアを表示するためのポイント光を出力する光源を設けたものである。
【０１３７】
この例では、ストロボ発光部７の前面上部に、光源としてのポインタ部６１を設けてあり、ポインタ部６１はストロボ発光部７と一体に回動する。このポインタ部６１は、例えばＬＥＤやレーザ素子等からなり、レリーズボタン５が半押しとされたときに、ストロボ発光部７の照射方向と平行なポインタ光を照射する。これにより、ストロボ光を照射される反射面上の部分がポインタ光で示されため、ストロボ光を照射される反射面上の部分を撮影者が事前に確認することができる。なお、ポインタ部６１からのポインタ光は、点状に照射してもよいが、面状としてストロボ光の照射エリアがわかるようにすることが好ましい。また、このポインタ光をＡＦ補助光として用いることができるようにしてもよい。
【０１３８】
第１２実施形態を図２７に示す。この第１２実施形態では、バウンス角を変化させながら、バウンス撮影を複数回行うものである。なお、デジタルカメラの構成は、第１実施形態と同様であり、実質的に同じ構成部材には同一の符号を付してその説明を省略する。
【０１３９】
この第１２実施形態のでデジタルカメラでは、操作部８を操作することにより、バウンス角Ａを変化させながらバウンス撮影を複数回行うバウンス連続撮影モードを選択することができる。また、バウンス連続撮影モードでは、各バウンス撮影で得られる画像から最適な画像を選択させて、その選択した画像を記憶媒体に記憶する。
【０１４０】
バウンス連続撮影モードで撮影を行う場合には、バウンス連続撮影モードとしてから、バウンス撮影を行う撮影回数Ｎと、各バウンス撮影におけるバウンス角Ａを入力する。まずシステムコントローラ１０によって、ＬＣＤ９に１回目のバウンス撮影のバウンス角Ａの入力要求が表示される。撮影者は、操作部８を操作して１回目のバウンス撮影のバウンス角Ａを入力する。続いて、システムコントローラ１０によってＬＣＤ９に撮影回数Ｎの入力要求が表示され、これに対して操作部８を操作して所望とするバウンス撮影の撮影回数Ｎを入力する。
【０１４１】
撮影回数Ｎとして、「１」が入力された場合には、ストロボ発光部７を１回目のバウンス角に設定する処理が直ちに行われるが、２以上の撮影回数Ｎが入力された場合には、システムコントローラ１０は、カウント値ｎを「２」として、２回目のバウンス角Ａの入力を要求し、それを入力させる。この入力後には、カウント値ｎと撮影回数Ｎとを比較して全てのバウンス角Ａの入力が完了したか否かが確認される。
【０１４２】
カウント値ｎが撮影回数Ｎ未満である場合には、全てのバウンス角Ａの入力が完了していないとして、カウント値ｎを「１」インクリメントしてとし、ｎ回目のバウンス角Ａの入力を要求しそれを入力させる処理を繰り返す。これにより、カウント値ｎが撮影回数Ｎとなるまで、バウンス角の入力を要求し、３回目以降の全てのバウンス角Ａを入力させる。なお、バウンス撮影の撮影回数Ｎや、バウンス角Ａの入力方法は、適宜に変更できる。
【０１４３】
上記のようにして、全てのバウンス撮影についてのバウンス角Ａが入力されると、システムコントローラ１０の制御下で、角度駆動部２３を介してストロボ発光部７が回動されて、１回目のバウンス撮影のバウンス角Ａに設定される。この後に、レリーズボタン５が押圧操作されると、システムコントローラ１０は、カウント値ｎを初期化して「１」としてから、ストロボ撮影を行う。このストロボ撮影で得られる画像データは、図示しない内部メモリに記憶される。
【０１４４】
１回目のストロボ撮影が完了すると、カウント値ｎと撮影回数Ｎとを比較して、全バウンス撮影が完了したか否かの確認が行われる。カウント値ｎが回数Ｎ未満であって全バウンス撮影が完了していない場合には、カウント値ｎを「１」インクリメントし、ｎ回目のバウンス角Ａとなるようにストロボ発光部７を回動する、そして、この回動後にストロボ撮影を行い、得られる画像データを内部メモリに記憶する。同様にして、全バウンス撮影が完了するまで、カウント値ｎを「１」インクリメントしながらストロボ撮影を行い、得られる画像データを内部メモリに記憶する。
【０１４５】
上記のようにして、Ｎ回のバウンス撮影が完了すると、最適な画像を選択するための処理が行われる。この処理では、例えば内部メモリに保持されているＮ個の画像からサムネイル画像を生成し、これをＬＣＤ９に並べて表示する。そして、撮影者が操作部８を操作して保存すべきものを選択する。サムネイル画像が選択されると、その選択されたサムネイル画像に対応する画像が内部メモリからメモリ部２１に送られてメモリカードに記録される。
【０１４６】
例えば、バウンス撮影の撮影回数Ｎとして３回を入力し、１回目のバウンス撮影に対してバウンス角Ａ１を、２回目のバウンス撮影に対してバウンス角Ａ２を、３回目のバウンス撮影に対してバウンス角Ａ３を入力したとすると、１回のレリーズボタン５の操作によってバウンス角Ａ１での１回目のバウンス撮影に続いて、バウンス角Ａ２の２回目のバウンス撮影、バウンス角Ａ３の３回目のバウンス撮影が順番に行われる。そして、この３回のバウンス撮影で得られる３枚の画像から最も適切な画像を撮影者は選択することができる。
【０１４７】
以上のように、この例によれば、１回のレリーズ操作でバウンス角Ａを変化させたバウンス撮影を連続的に行うことができるので、バウンス撮影による最適な画像を容易に得ることができる。
【０１４８】
第１３実施形態を図２８に示す。第１３実施形態では、撮影者が指定したバウンス角から撮影範囲に直接照射領域が重ならない最も小さいバウンス角まで、バウンス角を変化（減少）させながらバウンス連続撮影を行う。
【０１４９】
この例では、撮影者が１回目のバウンス角Ａを入力した後には、システムコントローラ１０は、前述の式（４），（５）をそれぞれ満たし、かつ最も小さなバウンス角である限界バウンス角を求める。続いて、１回目のバウンス角と限界バウンス角との角度差に応じて撮影回数Ｎが決定され、さらに決定された撮影回数Ｎに応じて各回のバウンス撮影のバウンス角が決定される。この決定された撮影回数Ｎ、各バウンス角は、撮影者の確認のためにＬＣＤ９に表示される。
【０１５０】
そして、撮影者は、確認後にレリーズボタン５を押圧操作して撮影を指示する。この撮影指示により、１回目のバウンス角Ａから限界バウンス角まで、バウンス角を変化させながら連続的にＮ回のバウンス撮影が行われる。
【０１５１】
例えば、システムコントローラ１０によって撮影回数が５回と決定された場合には、
１回目のバウンス角Ａによるバウンス撮影と、５回目となる限界バウンス角によるバウンス撮影とともに、１回目のバウンス角Ａと限界バウンス角との間の３つのバウンス角による２〜４回目のバウンス撮影が行われる。
【０１５２】
なお、１回目のバウンス角Ａを設定する場合に、操作部を操作してバウンス角を入力する代わりに、ストロボ発光部７を直接に操作して所望とするバウンス角にしてもよい。
【０１５３】
上記実施形態では、１回目のバウンス角Ａと限界バウンス角との差に応じて撮影回数Ｎを決定し、その撮影回数Ｎに応じて各回のバウンス撮影のバウンス角を決定しているが、撮影回数Ｎや各バウンス角や１回ごとの変化量を撮影者が決めてもよい。また、図２９に一例を示すように、電池の残量に応じて撮影回数Ｎを決定してもよい、この図２９に示す例では、電池残量が少ないほど撮影回数Ｎを少なくするようにしている。
【０１５４】
上記各実施形態では、ストロボ装置を撮影装置に内蔵した例について説明したが、本発明は、これに限らず、ストロボ装置を撮影装置に取り付けて使用する場合にも利用できる。また、上記では本発明の各実施形態を説明したが、各実施形態に示される構成，機能は、矛盾しない範囲で相互に組み合わせることができる。
【図面の簡単な説明】
【０１５５】
【図１】本発明を実施したデジタルカメラの外観を示す斜視図である。
【図２】ストロ発光部を回動してバウンス角を与えた状態のデジタルカメラの外観を示す斜視図である。
【図３】デジタルカメラの構成を示すブロック図である。
【図４】測定される反射面距離と被写体距離とバウンス角の関係を示す説明図である。
【図５】バウンス撮影モードにおける処理手順を示すフローチャートである。
【図６】バウンス撮影モード時に表示される案内の一例を示す説明図である。
【図７】反射面に対する撮影光軸の傾きを考慮して反射面距離を求める第２実施形態における撮影画面内に複数も設けたＡＦ検出領域を示す説明図である。
【図８】第２実施形態における各測距点と反射面距離の関係を示す説明図である。
【図９】上下左右方向に複数のＡＦ検出領域を設けて反射面の傾斜を三次元的に捕らえる例を示すものである。
【図１０】３個のＡＦ検出領域によって反射面の傾斜を三次元的に捕らえる例を示すものである。
【図１１】反射面距離の測距の指示がない場合には、過去に測定された反射面距離を用いてバウンス角の算出する第３実施形態のデジタルカメラの外観を示す斜視図である。
【図１２】第３実施形態におけるバウンス撮影モードにおける処理手順を示すフローチャートである。
【図１３】デジタルカメラを上向きによって再測距の指示であるか否かが判断する第４実施形態において設けられた姿勢センサを示すブロック図である。
【図１４】第４実施形態におけるバウンス撮影モードにおける処理手順を示すフローチャートである。
【図１５】反射させる部分と被写体とに撮影レンズを設けたときの撮影光軸間の角度をバウンス角とする第５実施形態の処理手順を示すフローチャートである。
【図１６】第５実施形態において測定される撮影光軸間の角度とバウンス角との関係を示す説明図である。
【図１７】撮影方向の変化によってバウンス角を修正する第６実施形態の処理手順を示すフローチャートである。
【図１８】第６実施形態において撮影方向の変化と修正されるバウンス角の修正量と方向の関係を示す説明図である。
【図１９】ストロボ光が直接に照射される直接照射範囲をスルー画像上に表示する第７実施形態の処理手順を示すフローチャートである。
【図２０】第７実施形態の直接照射範囲と被写体距離上の撮影範囲との関係を示す説明図である。
【図２１】第７実施形態のＬＣＤの表示状態を説明する説明図である。
【図２２】撮影範囲に直接照射領域が重ならないようにバウンス角を修正する第８実施形態の処理手順を示すフローチャートである。
【図２３】撮影範囲に直接照射領域が重ならないように照射角を修正する第９実施形態のデジタルカメラの構成を示すブロック図である。
【図２４】第９実施形態の処理手順を示すフローチャートである。
【図２５】ストロボ光が有効に到達する有効到達距離を考慮して撮影範囲に直接照射範囲が重ならないようにした第１０実施形態を示す説明図である。
【図２６】ストロボ光が直接に照射される反射面上の位置をポイント光で示す光源を設けた第１１実施形態の要部を示す斜視図である。
【図２７】バウンス角を変化させながら複数回のバウンス撮影を行う第１２実施形態の処理手順を示すフローチャートである。
【図２８】連続的に複数回のバウンス撮影を行う際に自動的に回数とバウンス角とを設定する第１３実施形態の処理手順を示すフローチャートである。
【図２９】連続的に複数回のバウンス撮影を行う際に電池残量に応じて回数を設定する例を示すフローチャートである。
【符号の説明】
【０１５６】
２  デジタルカメラ
４  撮影レンズ
５  レリーズボタン
６  ストロボ装置
７  ストロボ発光部
９  ＬＣＤ
１０  システムコントローラ
１５  フォーカス機構
２３  角度駆動部
２４  エンコーダ
５８  照射角駆動部
６１  ポインタ部
【図１】
2009163179.tif 000003
【図２】
2009163179.tif 000004
【図３】
2009163179.tif 000005
【図４】
2009163179.tif 000006
【図５】
2009163179.tif 000007
【図６】
2009163179.tif 000008
【図７】
2009163179.tif 000009
【図８】
2009163179.tif 000010
【図９】
2009163179.tif 000011
【図１０】
2009163179.tif 000012
【図１１】
2009163179.tif 000013
【図１２】
2009163179.tif 000014
【図１３】
2009163179.tif 000015
【図１４】
2009163179.tif 000016
【図１５】
2009163179.tif 000017
【図１６】
2009163179.tif 000018
【図１７】
2009163179.tif 000019
【図１８】
2009163179.tif 000020
【図１９】
2009163179.tif 000021
【図２０】
2009163179.tif 000022
【図２１】
2009163179.tif 000023
【図２２】
2009163179.tif 000024
【図２３】
2009163179.tif 000025
【図２４】
2009163179.tif 000026
【図２５】
2009163179.tif 000027
【図２６】
2009163179.tif 000028
【図２７】
2009163179.tif 000029
【図２８】
2009163179.tif 000030
【図２９】
2009163179.tif 000031